(57)【特許請求の範囲】
【請求項１】
足場本体の幅方向の両端部をコ字状に折曲し、一方、板状の接続部材の両側部をコ字状に折曲して該接続部材が前記足場本体内を摺動して嵌合できるように形成し、更に、該接続部材の上面に上方へ突設したストッパーを固定し、該ストッパーを前記足場本体の桁部内側面の凹部に嵌合して該足場本体の一端部に該接続部材を固定すると共に、該接続部材の一側部を足場本体より突設し、該接続部材の一側部に他の足場本体の端部を摺動して連結する仮設足場に於いて、前記接続部材の上面に斜め上方へ斜設された板バネの一端部を固定し、且つ、該板バネの他端部を上方へ突設してストッパー部を形成し、該ストッパー部を前記足場本体の桁部内側面の凹部に着脱自在に嵌合したことを特徴とする仮設足場。
【発明の詳細な説明】
【０００１】
【産業上の利用分野】
この発明は、仮設足場に関するものであり、特に、組み立てを簡素化した仮設足場に関するものである。
【０００２】
【従来の技術】
従来の此種仮設足場を図８及び図９に従って説明する。
図において、１は仮設足場であり、該仮設足場１は足場本体２，２を連結して構成している。該足場本体２は鋼製の板材にて形成されており、両側部をコ字状に折曲してある。また、該足場本体２，２は接続部材３にて連結されている。
【０００３】
該接続部材３は鋼製の板材にて形成され、足場本体２，２と同様に両側部をコ字状に折曲して該接続部材３を足場本体２，２内を摺動できるように形成してある。また、足場本体２の上面は幅方向に切欠部４，４，…を開穿すると共に、該切欠部４，４，…間を逆Ｕ字状に折曲し、且つ、突部５，５，…を設けて桁部６，６，…が形成されている。
【０００４】
一方、前記接続部材３の上面にナット７を溶着してあり、該ナット７とボルト８にてストッパー９を該接続部材３に固定している。そして、該ストッパー９の両端部を上方へ逆Ｕ字状に折曲して突設し、該両端部を足場本体２の桁部６の内側面に形成された凹部部１０，１０へ勘合して接続部材３を一方の足場本体２の一端部に固定してある。
【０００５】
また、接続部材３の一側部は他方の足場本体２の一端部内に嵌入されて足場本体２，２を連結してある。
而して、仮設足場１が組み立てられる際には、先ず、足場本体２の端部に接続部材３を摺動する。そして、ストッパー９を、足場本体２の端部より接続部材３の一側部が突出するような適宜位置の凹部１０，１０に嵌合してナット７との位置決めを行う。そして、ボルト８にてストッパー９を固定して該接続部材３を足場本体２の端部に固定する。
【０００６】
然る後、接続部材２の一側部を他の足場本体２の端部に嵌入して足場本体２，２を連結すると共に、仮設足場１両端部を固定して該仮設足場１を組み立てる。
【０００７】
【発明が解決しようとする課題】
上述した従来の仮設足場は、足場本体の端部にストッパーにて接続部材を固定し、該接続部材の一側部に他の足場本体の端部を嵌入して連結している。
しかし、該ストッパーはボルトとナットにて固定されており、ストッパー等の位置決め作業やボルトの緊締作業を要するため、仮設足場の組み立て解体作業を煩雑にして多大な労力を要している。また、該ストッパー及びボルトはナットからの離脱が可能に形成されているため、部材不足等が発生して仮設足場の組み立てができないこともある。更に、解体の時にボルトとナットが錆び付いていた際には、溶接器等にて切断する必要があって、非常に不便である。
【０００８】
そこで、部材の切断作業を要せず、且つ、容易に仮設足場の組み立て解体をできるようにすると共に、部材不足を防止するために解決せられるべき技術的課題が生じてくるのであり、本発明は該課題を解決することを目的とする。
【０００９】
【課題を解決するための手段】
この発明は、上記目的を達成するために提案せられたものであり、足場本体の幅方向の両端部をコ字状に折曲し、一方、板状の接続部材の両側部をコ字状に折曲して該接続部材が前記足場本体内を摺動して嵌合できるように形成し、更に、該接続部材の上面に上方へ突設したストッパーを固定し、該ストッパーを前記足場本体の桁部内側面の凹部に嵌合して該足場本体の一端部に該接続部材を固定すると共に、該接続部材の一側部を足場本体より突設し、該接続部材の一側部に他の足場本体の端部を摺動して連結する仮設足場に於いて、前記接続部材の上面に斜め上方へ斜設された板バネの一端部を固定し、且つ、該板バネの他端部を上方へ突設してストッパー部を形成し、該ストッパー部を前記足場本体の桁部内側面の凹部に着脱自在に嵌合した仮設足場を提供せんとするものである。
【００１０】
【作用】
この発明は、接続部材の上面に板バネの一端部を固定し、他端部にストッパー部を形成している。従って、該ストッパー部は板バネの弾性力により上下動自在に形成されているので、足場本体の桁部内側面の凹部に容易に嵌合し、且つ、脱離させることができる。
【００１１】
而して、仮設足場を組み立てる際には、足場本体の端部に板バネを圧縮しながら接続部材を摺動し、桁部の適宜位置にて該圧縮を開放すれば、ストッパー部が足場本体の凹部に嵌着し、該接続部材は前記足場本体に固定される。そして、前記足場本体の端部に固定した該接続部材の一側部を他の足場本体の端部に嵌入すれば、該足場本体は前記接続部材にて連結されて、仮設足場が組み立てられる。
【００１２】
また、該仮設足場を解体する際には、前記板バネを下方へ圧縮すれば、前記ストッパー部と凹部との嵌着が解除されて、前記接続部材が足場本体から離脱される。
【００１３】
【実施例】
以下、本発明の一実施例を図１乃至図７に従って説明する。
図において、２０は仮設足場であり、図１に示すように、該仮設足場２０は足場本体２１，２１を連結して構成している。該足場本体２１は鋼製の板材にて形成されてあり、図２及び図３に示すように、両側部をコ字状に折曲して剛性を向上させてある。また、該足場本体２１，２１は接続部材２２にて連結されている。
【００１４】
該接続部材２２は、図４乃至図６に示すように、鋼板にて形成されてあり、足場本体２１，２１と略同形状に両側部をコ字状に折曲して該接続部材２２を足場本体２１，２１内に摺動できるように形成している。
一方、図２及び図３並びに図７に示すように、足場本体２１の上面は幅方向に切欠部２３，２３，…を開穿している。そして、該切欠部２３，２３，…間を逆Ｕ字状に折曲し、且つ、突部２４，２４，…を突設して桁部２５，２５，…を形成してある。
【００１５】
また、図４乃至図６に示すように、接続部材２２の上面には鋼板にて形成された板バネ２６の一端部をリベット２７，２７にて固定してある。該板バネ２６は上方へ斜傾し、更に、前方に延設し、その先端部を上方へ突設した逆Ｕ字状に折曲してストッパー部２８を形成してある。該ストッパー部２８は板バネ２６の弾性力により上下移動自在に形成されている。
【００１６】
該ストッパー部２８は、図２及び図３に示すように、前記桁部２５の裏面に形成された凹部２９に嵌着すると共に、該桁部２５を上方へ付勢している。従って、接続部材２２は一方の足場本体２１の端部に固定されている。また、該接続部材２２の一側部は該一方の足場本体２１の端部より一側部を突出して固定されてあり、該一側部を他方の足場本体２１の端部へ嵌入して足場本体２１，２１を連結してある。
【００１７】
而して、仮設足場１０を組み立てる際には、先ず、接続部材２２の板バネ２６を下方へ圧縮しながら足場本体２１の端部に接続部材２２を摺動する。そして、足場本体２１の端部より接続部材２２の一側部が突出する適宜位置の凹部２９に圧縮を解除してストッパー部２８を嵌着すれば、容易に該接続部材２２を足場本体２１の端部に固定することができる。。
【００１８】
更に、接続部材２２の一側部を他の足場本体２１の端部に嵌入して足場本体２１，２１を連結すると共に、仮設足場２０両端部を固定して該仮設足場２０を組み立てる。また、該足場本体２１，２１を解体する際には、板バネ２６を下方に圧縮すれば、接続部材２２のストッパー部２８が足場本体２１，２１の凹部２９より脱離して足場本体２１，２１と接続部材２２とを容易に解体することができる。
【００１９】
尚、本発明は、本発明の精神を逸脱しない限り種々の改変をなすことができ、そして、本発明が該改変せられたものに及ぶことは当然である。
【００２０】
【発明の効果】
この発明は上記一実施例に詳述したように、接続部材に板バネを設け、該板バネの弾性力にてストッパー部を上下動自在に形成している。
従って、該ストッパー部の足場本体の凹部に対する脱着に際して、ボルトのナットへの緊締作業がなくなって仮設足場を容易に組み立てることができる。また、該ボルトとナットとが不要になるため、不足部材が発生して仮設足場を組み立てられなくなることを防止できる。更に、ボルトとナットの錆び付きによる仮設足場の解体作業の際の切断作業もなくなって、仮設足場の組み立て解体に要する労力を著しく軽減できる等、多大な効果を奏する発明である。
【図面の簡単な説明】
【図１】仮設足場の平面図。
【図２】ストッパー部と凹部とが嵌合している状態を示す仮設足場の一部切欠断面図。
【図３】接続部材を足場本体に嵌入した状態を示す仮設足場の断面図。
【図４】接続部材の断面図。
【図５】接続部材の背面図。
【図６】接続部材の平面図。
【図７】足場本体の一部切欠平面図。
【図８】従来の仮設足場のストッパー部と凹部とが嵌合している状態を示す一部切欠断面図。
【図９】従来の仮設足場の接続部材を足場本体に嵌入した状態を示す断面図。
【符号の説明】
２０  仮設足場
２１  足場本体
２２  接続部材
２６  板バネ
２８  ストッパー部
２９  凹部
【図１】
0003559065.tif 000002
【図２】
0003559065.tif 000003
【図３】
0003559065.tif 000004
【図４】
0003559065.tif 000005
【図５】
0003559065.tif 000006
【図６】
0003559065.tif 000007
【図７】
0003559065.tif 000008
【図８】
0003559065.tif 000009
【図９】
0003559065.tif 000010